(57)【要約】【課題】  広告表示物によって広告を実施する広告実施者に適切に報酬が給付されることができる広告システムを提供する。【解決手段】  広告システムは、広告実施者によって使用されて広告を表示する広告表示装置２０と、広告観者によって使用される観者用装置３０と、広告実施者に報酬を給付する報酬給付者によって使用される給付者用装置５０とを備え、給付者用装置５０は、広告と、広告実施者との組み合わせの識別情報である実施者別広告ＩＤを管理し、広告表示装置２０は、表示する広告と、広告実施者との組み合わせの実施者別広告ＩＤを保持し、観者用装置３０は、広告表示装置２０から実施者別広告ＩＤを近距離無線通信によって取得し（Ｓ２０３）、給付者用装置５０は、Ｓ２０３において取得された実施者別広告ＩＤを受信する（Ｓ２１０）ことを特徴とする。【選択図】  図１１
2014130500.tif 000002
【特許請求の範囲】
【請求項１】
広告実施者によって使用されて広告を表示する広告表示物と、
前記広告を見る者である広告観者によって使用される観者用装置と、
前記広告実施者に報酬を給付する報酬給付者によって使用される給付者用装置とを備え、
前記給付者用装置は、前記広告と、前記広告実施者との組み合わせの識別情報である実施者別広告ＩＤを管理する実施者別広告ＩＤ管理手段を備え、
前記広告表示物は、表示されている前記広告と、前記広告実施者との組み合わせの前記実施者別広告ＩＤを保持し、
前記観者用装置は、前記広告表示物から前記実施者別広告ＩＤを近距離無線通信によって取得する実施者別広告ＩＤ取得手段を備え、
前記給付者用装置は、前記実施者別広告ＩＤ取得手段によって取得された前記実施者別広告ＩＤを受信する実施者別広告ＩＤ受信手段を備えることを特徴とする広告システム。
【請求項２】
前記観者用装置は、前記広告観者の注視点を認識する注視点認識手段と、前記注視点認識手段によって認識された前記注視点上に存在する前記広告表示物を対象の前記広告表示物として特定する対象特定手段とを備えることを特徴とする請求項１に記載の広告システム。
【請求項３】
前記広告表示物は、前記広告に関するウェブサイトのＵＲＬを保持し、
前記観者用装置は、前記実施者別広告ＩＤ取得手段によって前記実施者別広告ＩＤが取得される前記広告表示物から前記ＵＲＬを取得するＵＲＬ取得手段と、前記ＵＲＬ取得手段によって取得された前記ＵＲＬに基づいて前記ウェブサイトにアクセスするサイトアクセス手段と、前記サイトアクセス手段によってアクセスされた前記ウェブサイトを表示するサイト表示手段とを備えることを特徴とする請求項１または請求項２に記載の広告システム。
【請求項４】
前記広告表示物は、前記広告と、この広告および前記広告実施者の組み合わせの前記実施者別広告ＩＤと、この広告に関する前記ウェブサイトの前記ＵＲＬとを受信する広告受信手段と、前記広告受信手段によって受信された前記広告を表示する広告表示手段とを備えることを特徴とする請求項３に記載の広告システム。
【請求項５】
前記広告表示物は、前記広告と、この広告および前記広告実施者の組み合わせの前記実施者別広告ＩＤとを受信する広告受信手段と、前記広告受信手段によって受信された前記広告を表示する広告表示手段とを備えることを特徴とする請求項１または請求項２に記載の広告システム。
【請求項６】
前記観者用装置は、前記広告表示物によって表示されている前記広告を撮影して前記広告の画像である広告撮影画像を取得する画像取得手段と、前記画像取得手段によって取得された前記広告撮影画像に基づいて前記広告に関するウェブサイトをウェブ上で検索するサイト検索手段と、前記サイト検索手段によって検索された前記ウェブサイトにアクセスするサイトアクセス手段と、前記サイトアクセス手段によってアクセスされた前記ウェブサイトを表示するサイト表示手段とを備えることを特徴とする請求項１、請求項２または請求項５に記載の広告システム。
【請求項７】
前記ウェブサイトを提供するサイト提供装置を備え、
前記サイト提供装置は、前記実施者別広告ＩＤ取得手段によって取得された前記実施者別広告ＩＤを受信するサイト側ＩＤ受信手段と、前記サイト側ＩＤ受信手段によって受信された前記実施者別広告ＩＤを前記給付者用装置に送信するサイト側ＩＤ送信手段とを備え、
前記実施者別広告ＩＤ受信手段は、前記実施者別広告ＩＤ取得手段によって取得されて前記サイト側ＩＤ送信手段によって送信された前記実施者別広告ＩＤを受信し、
前記サイト側ＩＤ送信手段は、前記サイトアクセス手段によって前記ウェブサイトに対して特定の動作が実行された場合に、前記実施者別広告ＩＤを前記給付者用装置に送信することを特徴とする請求項３、請求項４または請求項６に記載の広告システム。
【請求項８】
前記観者用装置は、前記実施者別広告ＩＤ取得手段によって取得された前記実施者別広告ＩＤを前記給付者用装置に送信する実施者別広告ＩＤ送信手段を備え、
前記実施者別広告ＩＤ受信手段は、前記実施者別広告ＩＤ取得手段によって取得されて前記実施者別広告ＩＤ送信手段によって送信された前記実施者別広告ＩＤを受信し、
前記実施者別広告ＩＤ送信手段は、前記サイトアクセス手段によって前記ウェブサイトに対してアクセスが実行された場合に、前記実施者別広告ＩＤを前記給付者用装置に送信することを特徴とする請求項３、請求項４または請求項６に記載の広告システム。
【発明の詳細な説明】
【技術分野】
【０００１】
本発明は、広告実施者に報酬を給付する広告システムに関する。
【背景技術】
【０００２】
従来、広告実施者に報酬を給付する広告システムとして、広告実施者としてのアクセスポイント提供者から、広告観者としての利用者の利用者端末に、広告主からの広告を提供することによって、広告主からアクセスポイント提供者に報酬を給付するシステムが知られている（特許文献１参照。）。
【先行技術文献】
【特許文献】
【０００３】
【特許文献１】特開２００４−２５８９４５号公報
【発明の概要】
【発明が解決しようとする課題】
【０００４】
しかしながら、特許文献１に記載されている広告システムにおいては、そのままでは視認可能ではない電子情報としての広告をアクセスポイント提供者が提供するので、アクセスポイントと通信を行っている利用者端末にのみ広告が表示され、結果として、宣伝効果が高くはないという問題がある。
【０００５】
一方、広告を表示する広告表示物によって広告実施者が広告を実施する場合、広告表示物によって表示されている広告が視認可能であるので、特許文献１に記載されている広告システムと比較して宣伝効果が高い。しかしながら、広告表示物によって広告実施者が広告を実施する場合、広告実施者に適切に報酬が給付される方法が知られていない。例えば、広告表示物による一定の期間の広告に対して一定の報酬が給付される契約である場合、広告観者が１人も広告表示物の近傍を通行しなかったときと、多数の広告観者が広告表示物の近傍を通行したときとで、同額の報酬が給付されるので、適切ではない。
【０００６】
そこで、本発明は、広告表示物によって広告を実施する広告実施者に適切に報酬が給付されることができる広告システムを提供することを目的とする。
【課題を解決するための手段】
【０００７】
本発明の広告システムは、広告実施者によって使用されて広告を表示する広告表示物と、前記広告を見る者である広告観者によって使用される観者用装置と、前記広告実施者に報酬を給付する報酬給付者によって使用される給付者用装置とを備え、前記給付者用装置は、前記広告と、前記広告実施者との組み合わせの識別情報である実施者別広告ＩＤを管理する実施者別広告ＩＤ管理手段を備え、前記広告表示物は、表示されている前記広告と、前記広告実施者との組み合わせの前記実施者別広告ＩＤを保持し、前記観者用装置は、前記広告表示物から前記実施者別広告ＩＤを近距離無線通信によって取得する実施者別広告ＩＤ取得手段を備え、前記給付者用装置は、前記実施者別広告ＩＤ取得手段によって取得された前記実施者別広告ＩＤを受信する実施者別広告ＩＤ受信手段を備えることを特徴とする。
【０００８】
この構成により、本発明の広告システムは、観者用装置の近くに存在する広告表示物を、給付者用装置によって受信した実施者別広告ＩＤに基づいて識別することができるので、報酬給付者から、この広告表示物によって広告を実施する広告実施者に、給付者用装置によって受信した実施者別広告ＩＤに基づいて報酬が給付されることができる。したがって、本発明の広告システムは、広告表示物によって広告を実施する広告実施者に適切に報酬が給付されることができる。
【０００９】
また、本発明の広告システムにおいて、前記観者用装置は、前記広告観者の注視点を認識する注視点認識手段と、前記注視点認識手段によって認識された前記注視点上に存在する前記広告表示物を対象の前記広告表示物として特定する対象特定手段とを備えても良い。
【００１０】
この構成により、本発明の広告システムは、観者用装置の近くの広告表示物のうち広告観者の注視点上に存在する広告表示物を観者用装置が対象の広告表示物として特定するので、広告観者が実際に見た広告を実施した広告実施者に適切に報酬が給付されることができる。
【００１１】
また、本発明の広告システムにおいて、前記広告表示物は、前記広告に関するウェブサイトのＵＲＬを保持し、前記観者用装置は、前記実施者別広告ＩＤ取得手段によって前記実施者別広告ＩＤが取得される前記広告表示物から前記ＵＲＬを取得するＵＲＬ取得手段と、前記ＵＲＬ取得手段によって取得された前記ＵＲＬに基づいて前記ウェブサイトにアクセスするサイトアクセス手段と、前記サイトアクセス手段によってアクセスされた前記ウェブサイトを表示するサイト表示手段とを備えても良い。
【００１２】
この構成により、本発明の広告システムは、広告表示物が保持しているＵＲＬに基づいて、広告表示物によって表示されている広告に関するウェブサイトを観者用装置に表示させるので、広告表示物による宣伝効果を向上することができる。
【００１３】
また、本発明の広告システムにおいて、前記広告表示物は、前記広告と、この広告および前記広告実施者の組み合わせの前記実施者別広告ＩＤと、この広告に関する前記ウェブサイトの前記ＵＲＬとを受信する広告受信手段と、前記広告受信手段によって受信された前記広告を表示する広告表示手段とを備えても良い。
【００１４】
この構成により、本発明の広告システムは、広告表示物によって表示される広告を変更することができるので、広告表示物によって表示される広告として、例えば多くの報酬を得ることができる広告を、この広告に関するウェブサイトも参考にさせながら広告実施者に選ばせることができる。
【００１５】
また、本発明の広告システムにおいて、前記広告表示物は、前記広告と、この広告および前記広告実施者の組み合わせの前記実施者別広告ＩＤとを受信する広告受信手段と、前記広告受信手段によって受信された前記広告を表示する広告表示手段とを備えても良い。
【００１６】
この構成により、本発明の広告システムは、広告表示物によって表示される広告を変更することができるので、広告表示物によって表示される広告として、例えば多くの報酬を得ることができる広告を広告実施者に選ばせることができる。
【００１７】
また、本発明の広告システムにおいて、前記観者用装置は、前記広告表示物によって表示されている前記広告を撮影して前記広告の画像である広告撮影画像を取得する画像取得手段と、前記画像取得手段によって取得された前記広告撮影画像に基づいて前記広告に関するウェブサイトをウェブ上で検索するサイト検索手段と、前記サイト検索手段によって検索された前記ウェブサイトにアクセスするサイトアクセス手段と、前記サイトアクセス手段によってアクセスされた前記ウェブサイトを表示するサイト表示手段とを備えても良い。
【００１８】
この構成により、本発明の広告システムは、広告表示物によって表示されている広告に関するウェブサイトを広告撮影画像に基づいて観者用装置に表示させるので、広告表示物による宣伝効果を向上することができる。
【００１９】
また、本発明の広告システムは、前記ウェブサイトを提供するサイト提供装置を備え、前記サイト提供装置は、前記実施者別広告ＩＤ取得手段によって取得された前記実施者別広告ＩＤを受信するサイト側ＩＤ受信手段と、前記サイト側ＩＤ受信手段によって受信された前記実施者別広告ＩＤを前記給付者用装置に送信するサイト側ＩＤ送信手段とを備え、前記実施者別広告ＩＤ受信手段は、前記実施者別広告ＩＤ取得手段によって取得されて前記サイト側ＩＤ送信手段によって送信された前記実施者別広告ＩＤを受信し、前記サイト側ＩＤ送信手段は、前記サイトアクセス手段によって前記ウェブサイトに対して特定の動作が実行された場合に、前記実施者別広告ＩＤを前記給付者用装置に送信しても良い。
【００２０】
この構成により、本発明の広告システムは、観者用装置が広告表示物の近くに存在するということのみではなく、この広告表示物によって表示されている広告に関するウェブサイトに対して観者用装置によって特定の動作が実行された場合に、この広告を実施する広告実施者に報酬給付者から報酬が給付されることができる。したがって、本発明の広告システムは、広告表示物によって広告を実施する広告実施者に更に適切に報酬が給付されることができる。
【００２１】
また、本発明の広告システムにおいて、前記観者用装置は、前記実施者別広告ＩＤ取得手段によって取得された前記実施者別広告ＩＤを前記給付者用装置に送信する実施者別広告ＩＤ送信手段を備え、前記実施者別広告ＩＤ受信手段は、前記実施者別広告ＩＤ取得手段によって取得されて前記実施者別広告ＩＤ送信手段によって送信された前記実施者別広告ＩＤを受信し、前記実施者別広告ＩＤ送信手段は、前記サイトアクセス手段によって前記ウェブサイトに対してアクセスが実行された場合に、前記実施者別広告ＩＤを前記給付者用装置に送信しても良い。
【００２２】
この構成により、本発明の広告システムは、観者用装置が広告表示物の近くに存在するということのみではなく、この広告表示物によって表示されている広告に関するウェブサイトが観者用装置によってアクセスされた場合に、この広告を実施する広告実施者に報酬給付者から報酬が給付されることができる。したがって、本発明の広告システムは、広告表示物によって広告を実施する広告実施者に更に適切に報酬が給付されることができる。
【発明の効果】
【００２３】
本発明の広告システムは、広告表示物によって広告を実施する広告実施者に適切に報酬が給付されることができる。
【図面の簡単な説明】
【００２４】
【図１】本発明の一実施の形態に係る広告システムのブロック図である。
【図２】図１に示す広告表示装置の基本的な構成のブロック図である。
【図３】図２に示す広告表示装置の具体的な構成の一例のブロック図である。
【図４】（ａ）は、図３に示す電子服の正面図である。（ｂ）は、図４（ａ）に示す電子服の背面図である。
【図５】図１に示す観者用装置のブロック図である。
【図６】図１に示すサイト提供装置のブロック図である。
【図７】図１に示す給付者用装置のブロック図である。
【図８】給付者用装置に広告実施者が登録される場合の図１に示す広告システムの動作のシーケンス図である。
【図９】給付者用装置から広告が購入される場合の図１に示す広告システムの動作のシーケンス図である。
【図１０】給付者用装置から広告表示装置に広告がダウンロードされる場合の図１に示す広告システムの動作のシーケンス図である。
【図１１】広告表示装置によって表示されている広告に関するウェブサイトのＵＲＬを広告表示装置から観者用装置が取得可能である場合に観者用装置がこのウェブサイトにアクセスして広告実施者に報酬が給付されるときの図１に示す広告システムの動作のシーケンス図である。
【図１２】広告表示装置によって表示されている広告に関するウェブサイトのＵＲＬを広告表示装置から観者用装置が取得可能ではない場合に観者用装置がこのウェブサイトにアクセスして広告実施者に報酬が給付されるときの図１に示す広告システムの動作のシーケンス図である。
【図１３】観者用装置から給付者用装置に直接に実施者別広告ＩＤを送信する場合に観者用装置がこのウェブサイトにアクセスして広告実施者に報酬が給付されるときの図１に示す広告システムの動作について説明する。
【図１４】広告表示装置によって表示されている広告に関するウェブサイトに関係なく、広告実施者に報酬が給付されるときの図１に示す広告システムの動作のシーケンス図である。
【発明を実施するための形態】
【００２５】
以下、本発明の一実施の形態について、図面を用いて説明する。
【００２６】
まず、本実施の形態に係る広告システムの構成について説明する。
【００２７】
図１は、本実施の形態に係る広告システム１０のブロック図である。
【００２８】
図１に示すように、広告システム１０は、広告実施者によって使用されて広告を表示する広告表示物としての広告表示装置２０と、広告表示装置２０によって表示されている広告を見る者である広告観者によって使用される観者用装置３０と、広告表示装置２０によって表示されている広告に関するウェブサイトを提供するサイト提供装置４０と、広告実施者に報酬を給付する報酬給付者によって使用される給付者用装置５０とを備えている。ここで、広告表示装置２０および観者用装置３０は、近距離無線通信によって互いに通信可能である。また、観者用装置３０およびサイト提供装置４０は、インターネットなどのネットワーク１１を介して互いに通信可能に接続されている。更に、広告表示装置２０、観者用装置３０またはサイト提供装置４０と、給付者用装置５０とは、インターネットなどのネットワーク１１を介して互いに通信可能に接続されている。
【００２９】
図２は、広告表示装置２０の基本的な構成のブロック図である。
【００３０】
図２に示すように、広告表示装置２０は、広告実施者による種々の操作が入力されるボタンなどの入力デバイスである操作部２１と、種々の情報を表示する表示デバイスである表示部２２と、外部の装置とネットワーク１１（図１参照。）経由で通信を行うネットワーク通信デバイスである通信部２３と、観者用装置３０（図１参照。）と近距離無線通信技術によって通信を行う通信デバイスである近距離無線通信部２４と、種々の情報を記憶することが可能な記憶デバイスである記憶部２５と、広告表示装置２０全体を制御する制御部２６とを備えている。
【００３１】
表示部２２は、例えば、ＬＣＤ（Ｌｉｑｕｉｄ  Ｃｒｙｓｔａｌ  Ｄｉｓｐｌａｙ）、有機ＥＬ（Ｅｌｅｃｔｒｏ−Ｌｕｍｉｎｅｓｃｅｎｃｅ）ディスプレイ、電子ペーパーなどの表示デバイスによって構成されることが可能である。
【００３２】
記憶部２５は、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤ（Ｈａｒｄ  Ｄｉｓｋ  Ｄｒｉｖｅ）などの記憶デバイスによって構成されることが可能である。
【００３３】
記憶部２５は、広告を表示部２２に表示させるための情報である広告表示用情報２５ａと、表示部２２に表示されている広告および広告実施者の組み合わせの識別情報である実施者別広告ＩＤ２５ｂと、表示部２２に表示されている広告に関するウェブサイトのＵＲＬ（Ｕｎｉｆｏｒｍ  Ｒｅｓｏｕｒｃｅ  Ｌｏｃａｔｏｒ）２５ｃとを記憶することができる。
【００３４】
制御部２６は、例えば、ＣＰＵ（Ｃｅｎｔｒａｌ  Ｐｒｏｃｅｓｓｉｎｇ  Ｕｎｉｔ）と、プログラムおよび各種のデータを予め記憶しているＲＯＭ（Ｒｅａｄ  Ｏｎｌｙ  Ｍｅｍｏｒｙ）と、このＣＰＵの作業領域として用いられるＲＡＭ（Ｒａｎｄｏｍ  Ａｃｃｅｓｓ  Ｍｅｍｏｒｙ）とを備えている。このＣＰＵは、このＲＯＭまたは記憶部２５に記憶されているプログラムを実行するようになっている。制御部２６は、このＲＯＭまたは記憶部２５に記憶されているプログラムを実行することによって、広告表示用情報、実施者別広告ＩＤおよびＵＲＬを、通信部２３を介して受信する広告受信手段２６ａ、および、広告受信手段２６ａによって受信された広告表示用情報に基づいて表示部２２に広告を表示する広告表示手段２６ｂとして機能する。
【００３５】
なお、広告受信手段２６ａは、給付者用装置５０（図１参照。）から実施者別広告ＩＤを受信して、記憶部２５に実施者別広告ＩＤ２５ｂとして記憶させる。したがって、記憶部２５に記憶されている実施者別広告ＩＤ２５ｂは、給付者用装置５０の後述する実施者別広告ＩＤ管理手段５５ａ（図７参照。）によって管理されている実施者別広告ＩＤ５４ｊ（図７参照。）と同じである。
【００３６】
図２に示す広告表示装置２０の構成は、広告表示装置２０の基本的な構成である。実際には、例えば図３に示すように、種々の変形が存在し得る。
【００３７】
図３は、広告表示装置２０の構成の具体的な一例のブロック図である。
【００３８】
図３に示す構成において、広告表示装置２０は、スマートフォンなどの携帯端末２７と、表示部２２として電子ペーパーを備えている衣服である電子服２８とを備えている。
【００３９】
携帯端末２７は、操作部２１および通信部２３と、種々の情報を記憶することが可能な記憶デバイスである記憶部２５Ａと、携帯端末２７全体を制御する制御部２６Ａと、電子服２８の後述する近距離無線通信部２８ａとＮＦＣ（Ｎｅａｒ  Ｆｉｅｌｄ  Ｃｏｍｍｕｎｉｃａｔｉｏｎ）などの近距離無線通信技術によって通信を行う通信デバイスである近距離無線通信部２７ａとを備えている。
【００４０】
記憶部２５Ａは、例えばＥＥＰＲＯＭなどの記憶デバイスによって構成されている。
【００４１】
制御部２６Ａは、例えば、ＣＰＵと、プログラムおよび各種のデータを予め記憶しているＲＯＭと、このＣＰＵの作業領域として用いられるＲＡＭとを備えている。このＣＰＵは、このＲＯＭまたは記憶部２５Ａに記憶されているプログラムを実行するようになっている。制御部２６Ａは、このＲＯＭまたは記憶部２５Ａに記憶されているプログラムを実行することによって、広告受信手段２６ａとして機能する。
【００４２】
電子服２８は、近距離無線通信部２４と、種々の情報を表示する電子ペーパーである表示部２２Ａおよび表示部２２Ｂと、種々の情報を記憶することが可能な記憶デバイスである記憶部２５Ｂと、電子服２８全体を制御する制御部２６Ｂと、携帯端末２７の近距離無線通信部２７ａとＮＦＣなどの近距離無線通信技術によって通信を行う通信デバイスである近距離無線通信部２８ａとを備えている。
【００４３】
表示部２２は、表示部２２Ａおよび表示部２２Ｂによって実現されている。
【００４４】
記憶部２５Ｂは、例えばＥＥＰＲＯＭなどの記憶デバイスによって構成されている。記憶部２５Ｂは、広告表示用情報２５ａ、実施者別広告ＩＤ２５ｂおよびＵＲＬ２５ｃを記憶することができる。記憶部２５は、記憶部２５Ａおよび記憶部２５Ｂによって実現されている。
【００４５】
制御部２６Ｂは、例えば、ＣＰＵと、プログラムおよび各種のデータを予め記憶しているＲＯＭと、このＣＰＵの作業領域として用いられるＲＡＭとを備えている。このＣＰＵは、このＲＯＭまたは記憶部２５Ｂに記憶されているプログラムを実行するようになっている。制御部２６Ｂは、このＲＯＭまたは記憶部２５Ｂに記憶されているプログラムを実行することによって、広告表示手段２６ｂとして機能する。制御部２６は、制御部２６Ａおよび制御部２６Ｂによって実現されている。
【００４６】
なお、近距離無線通信部２８ａは、近距離無線通信部２４によって代用されるようになっていても良い。
【００４７】
図３に示す広告表示装置２０において、携帯端末２７の制御部２６Ａの広告受信手段２６ａは、携帯端末２７の操作部２１に入力された操作に応じた広告表示用情報、実施者別広告ＩＤおよびＵＲＬを、通信部２３を介して給付者用装置５０（図１参照。）から受信する。そして、制御部２６Ａは、受信した広告表示用情報、実施者別広告ＩＤおよびＵＲＬを、近距離無線通信部２７ａを介して電子服２８に送信する。次いで、電子服２８の制御部２６Ｂは、携帯端末２７から送信されてきた広告表示用情報、実施者別広告ＩＤおよびＵＲＬを、近距離無線通信部２８ａを介して受信して、それぞれ広告表示用情報２５ａ、実施者別広告ＩＤ２５ｂおよびＵＲＬ２５ｃとして記憶部２５Ｂに記憶させる。そして、制御部２６Ｂの広告表示手段２６ｂは、記憶部２５Ｂに記憶されている広告表示用情報２５ａに基づいた広告を表示部２２Ａおよび表示部２２Ｂに表示させる。
【００４８】
図４（ａ）は、電子服２８の正面図である。図４（ｂ）は、電子服２８の背面図である。
【００４９】
図４に示すように、電子服２８は、通常の衣服２８ｂの正面側の部分に表示部２２Ａが取り付けられていて、衣服２８ｂの背面側の部分に表示部２２Ｂが取り付けられている装置である。
【００５０】
なお、電子服２８は、図４において衣服２８ｂの一部に電子ペーパーが取り付けられている構成であるが、全体が電子ペーパーによって構成されていても良い。
【００５１】
図５は、観者用装置３０のブロック図である。
【００５２】
図５に示すように、観者用装置３０は、広告観者による種々の操作が入力されるボタンなどの入力デバイスである操作部３１と、種々の情報を表示する表示デバイスである表示部３２と、広告観者の顔に対して正面側を撮影するための正面撮影用カメラ３３と、広告観者の眼球を撮影するための眼球撮影用カメラ３４と、外部の装置とネットワーク１１（図１参照。）経由で通信を行うネットワーク通信デバイスである通信部３５と、広告表示装置２０（図１参照。）と近距離無線通信技術によって通信を行う通信デバイスである近距離無線通信部３６と、種々の情報を記憶することが可能な記憶デバイスである記憶部３７と、観者用装置３０全体を制御する制御部３８とを備えている。
【００５３】
表示部３２は、例えば、ＬＣＤ、有機ＥＬディスプレイなどの表示デバイスによって構成されることが可能である。
【００５４】
記憶部３７は、例えば、ＥＥＰＲＯＭ、ＨＤＤなどの記憶デバイスによって構成されることが可能である。
【００５５】
制御部３８は、例えば、ＣＰＵと、プログラムおよび各種のデータを予め記憶しているＲＯＭと、このＣＰＵの作業領域として用いられるＲＡＭとを備えている。このＣＰＵは、このＲＯＭまたは記憶部３７に記憶されているプログラムを実行するようになっている。制御部３８は、このＲＯＭまたは記憶部３７に記憶されているプログラムを実行することによって、実施者別広告ＩＤ取得手段３８ａ、ＵＲＬ取得手段３８ｂ、画像取得手段３８ｃ、サイト検索手段３８ｄ、サイトアクセス手段３８ｅ、サイト表示手段３８ｆ、実施者別広告ＩＤ送信手段３８ｇ、注視点認識手段３８ｈ、および対象特定手段３８ｉとして機能する。実施者別広告ＩＤ取得手段３８ａは、広告表示装置２０から実施者別広告ＩＤを近距離無線通信によって取得する。ＵＲＬ取得手段３８ｂは、実施者別広告ＩＤ取得手段３８ａによって実施者別広告ＩＤが取得される広告表示装置２０からＵＲＬを近距離無線通信によって取得する。画像取得手段３８ｃは、広告表示装置２０によって表示されている広告を撮影して広告の画像である広告撮影画像を取得する。サイト検索手段３８ｄは、画像取得手段３８ｃによって取得された広告撮影画像に対応する広告に関するウェブサイトを、この広告撮影画像に基づいてウェブ上で検索する。サイトアクセス手段３８ｅは、ウェブサイトにアクセスする。サイト表示手段３８ｆは、サイトアクセス手段３８ｅによってアクセスされたウェブサイトを表示する。実施者別広告ＩＤ送信手段３８ｇは、実施者別広告ＩＤ取得手段３８ａによって取得された実施者別広告ＩＤを送信する。注視点認識手段３８ｈは、広告観者の注視点を認識する。対象特定手段３８ｉは、注視点認識手段３８ｈによって認識された注視点上に存在する広告表示装置２０を対象の広告表示装置２０として特定する。
【００５６】
サイト検索手段３８ｄは、例えばウェブ上の検索エンジンによって提供されている画像検索技術を利用して、ウェブサイトを検索するようになっていても良い。
【００５７】
注視点認識手段３８ｈは、眼球撮影用カメラ３４によって撮影された広告観者の眼球の画像を画像処理することによって広告観者の視線を検出し、正面撮影用カメラ３３によって撮影された画像上の注視点を、この視線に基づいて認識することができる。なお、視線を検出する方法としては、眼球の画像を画像処理する視線検出技術以外にも、公知の視線検出技術が採用されることが可能である。
【００５８】
観者用装置３０は、広告観者によって装着されるヘッドアップディスプレイとして構成されていても良い。
【００５９】
なお、注視点認識手段３８ｈは、正面撮影用カメラ３３によって撮影された画像において、中央など、特定の箇所を広告観者の注視点と認識するようになっていても良い。観者用装置３０は、正面撮影用カメラ３３によって撮影された画像上の特定の箇所を注視点認識手段３８ｈが広告観者の注視点と認識するようになっている場合、眼球撮影用カメラ３４を備えていなくても良い。したがって、観者用装置３０は、例えば、正面撮影用カメラ３３として使用されるカメラが付いたスマートフォンなどの携帯端末として構成されていても良い。
【００６０】
図６は、サイト提供装置４０のブロック図である。
【００６１】
図６に示すように、サイト提供装置４０は、種々の操作が入力されるボタンなどの入力デバイスである操作部４１と、種々の情報を表示する表示デバイスである表示部４２と、外部の装置とネットワーク１１（図１参照。）経由で通信を行うネットワーク通信デバイスである通信部４３と、種々の情報を記憶することが可能な記憶デバイスである記憶部４４と、サイト提供装置４０全体を制御する制御部４５とを備えている。サイト提供装置４０は、例えばＰＣ（Ｐｅｒｓｏｎａｌ  Ｃｏｍｐｕｔｅｒ）などのコンピューターによって構成されている。
【００６２】
表示部４２は、例えば、ＬＣＤ、有機ＥＬディスプレイなどの表示デバイスによって構成されることが可能である。
【００６３】
記憶部４４は、例えば、ＥＥＰＲＯＭ、ＨＤＤなどの記憶デバイスによって構成されることが可能である。
【００６４】
制御部４５は、例えば、ＣＰＵと、プログラムおよび各種のデータを予め記憶しているＲＯＭと、このＣＰＵの作業領域として用いられるＲＡＭとを備えている。このＣＰＵは、このＲＯＭまたは記憶部４４に記憶されているプログラムを実行するようになっている。制御部４５は、このＲＯＭまたは記憶部４４に記憶されているプログラムを実行することによって、観者用装置３０（図５参照。）の実施者別広告ＩＤ取得手段３８ａ（図５参照。）によって取得された実施者別広告ＩＤを受信するサイト側ＩＤ受信手段４５ａ、および、サイト側ＩＤ受信手段４５ａによって受信された実施者別広告ＩＤを給付者用装置５０（図１参照。）に送信するサイト側ＩＤ送信手段４５ｂとして機能する。
【００６５】
図７は、給付者用装置５０のブロック図である。
【００６６】
図７に示すように、給付者用装置５０は、報酬給付者による種々の操作が入力されるボタンなどの入力デバイスである操作部５１と、種々の情報を表示する表示デバイスである表示部５２と、外部の装置とネットワーク１１（図１参照。）経由で通信を行うネットワーク通信デバイスである通信部５３と、種々の情報を記憶することが可能な記憶デバイスである記憶部５４と、給付者用装置５０全体を制御する制御部５５とを備えている。給付者用装置５０は、例えばＰＣなどのコンピューターによって構成されている。
【００６７】
表示部５２は、例えば、ＬＣＤ、有機ＥＬディスプレイなどの表示デバイスによって構成されることが可能である。
【００６８】
記憶部５４は、例えば、ＥＥＰＲＯＭ、ＨＤＤなどの記憶デバイスによって構成されることが可能である。
【００６９】
記憶部５４は、広告に関連する情報である広告関連情報５４ａを広告毎に記憶することができる。広告関連情報５４ａは、広告の識別情報である広告ＩＤ５４ｂと、広告を広告表示装置２０（図２参照。）の表示部２２（図２参照。）に表示させるための情報である広告表示用情報５４ｃと、この広告に関するウェブサイトのＵＲＬ５４ｄとを含んでいる。
【００７０】
また、記憶部５４は、広告実施者に関連する情報である実施者関連情報５４ｅを広告実施者毎に記憶することができる。実施者関連情報５４ｅは、広告実施者の識別情報である実施者ＩＤ５４ｆと、広告実施者に報酬を給付するための口座情報５４ｇとを含んでいる。また、実施者関連情報５４ｅは、広告別の情報である広告別情報５４ｈを広告毎に含むことができる。広告別情報５４ｈは、広告の識別情報である広告ＩＤ５４ｉと、広告および実施者ＩＤ５４ｆの組み合わせの識別情報である実施者別広告ＩＤ５４ｊとを含んでいる。
【００７１】
制御部５５は、例えば、ＣＰＵと、プログラムおよび各種のデータを予め記憶しているＲＯＭと、このＣＰＵの作業領域として用いられるＲＡＭとを備えている。このＣＰＵは、このＲＯＭまたは記憶部５４に記憶されているプログラムを実行するようになっている。制御部５５は、このＲＯＭまたは記憶部５４に記憶されているプログラムを実行することによって、実施者別広告ＩＤ５４ｊを管理する実施者別広告ＩＤ管理手段５５ａ、および、観者用装置３０（図５参照。）の実施者別広告ＩＤ取得手段３８ａ（図５参照。）によって取得された実施者別広告ＩＤを受信する実施者別広告ＩＤ受信手段５５ｂとして機能する。
【００７２】
次に、広告システム１０の動作について説明する。
【００７３】
まず、給付者用装置５０に広告実施者が登録される場合の広告システム１０の動作について説明する。
【００７４】
図８は、給付者用装置５０に広告実施者が登録される場合の広告システム１０の動作のシーケンス図である。
【００７５】
広告実施者は、給付者用装置５０への広告実施者自身の登録を、操作部２１を介して広告表示装置２０に指示することができる。広告表示装置２０の制御部２６は、給付者用装置５０への広告実施者自身の登録が操作部２１を介して指示されると、図８に示すように、広告実施者の登録の要求を給付者用装置５０に送信する（Ｓ１０１）。このとき、広告表示装置２０の制御部２６は、広告実施者の実施者ＩＤおよび口座情報を、この要求に含めている。
【００７６】
給付者用装置５０の制御部５５は、広告実施者の登録の要求が広告表示装置２０から送信されてくると、この要求に含まれている実施者ＩＤを実施者ＩＤ５４ｆとして含んでいる実施者関連情報５４ｅが記憶部５４に記憶されていない場合に、この要求に含まれている実施者ＩＤおよび口座情報をそれぞれ実施者ＩＤ５４ｆおよび口座情報５４ｇとして含んでいる実施者関連情報５４ｅを記憶部５４上に生成する（Ｓ１０２）。
【００７７】
次いで、給付者用装置５０の制御部５５は、広告実施者の登録の完了の通知を広告表示装置２０に送信する（Ｓ１０３）。
【００７８】
次に、給付者用装置５０から広告が購入される場合の広告システム１０の動作について説明する。
【００７９】
図９は、給付者用装置５０から広告が購入される場合の広告システム１０の動作のシーケンス図である。
【００８０】
広告実施者は、広告実施者が既に購入済みである広告のリスト（以下「購入済リスト」と言う。）と、広告実施者が未だ購入していない広告のリスト（以下「未購入リスト」と言う。）との表示部２２への表示を、操作部２１を介して広告表示装置２０に指示することができる。広告表示装置２０の制御部２６は、購入済リストおよび未購入リストの表示部２２への表示が操作部２１を介して指示されると、図９に示すように、購入済リストおよび未購入リストの要求を給付者用装置５０に送信する（Ｓ１３１）。このとき、広告表示装置２０の制御部２６は、広告実施者の実施者ＩＤを、この要求に含めている。
【００８１】
給付者用装置５０の制御部５５は、購入済リストおよび未購入リストの要求が広告表示装置２０から送信されてくると、購入済リストおよび未購入リストを生成する（Ｓ１３２）。すなわち、制御部５５は、Ｓ１３１において広告表示装置２０から送信されてきた要求に含まれている実施者ＩＤを実施者ＩＤ５４ｆとして含んでいる実施者関連情報５４ｅに含まれている全ての広告ＩＤ５４ｉに対応する広告のリストを購入済リストとして生成する。また、制御部５５は、記憶部５４上の全ての広告関連情報５４ａに含まれている広告ＩＤ５４ｂに対応する広告から、購入済リストに含まれている広告を除いたリストを未購入リストとして生成する。広告実施者による広告の内容の確認を容易化するために、購入済リストおよび未購入リストには、広告ＩＤだけではなく、この広告ＩＤを広告ＩＤ５４ｂとして含んでいる広告関連情報５４ａに含まれている広告表示用情報５４ｃおよびＵＲＬ５４ｄが含まれていることが好ましい。なお、購入済リストおよび未購入リストに含ませる広告表示用情報は、広告表示用情報５４ｃそのものではなく、サムネイル用の情報であっても良い。
【００８２】
次いで、給付者用装置５０の制御部５５は、Ｓ１３２において生成した購入済リストおよび未購入リストを広告表示装置２０に送信する（Ｓ１３３）。
【００８３】
広告表示装置２０の制御部２６は、購入済リストおよび未購入リストが給付者用装置５０から送信されてくると、給付者用装置５０から送信されてきた購入済リストおよび未購入リストを表示部２２に表示させる（Ｓ１３４）。
【００８４】
したがって、広告実施者は、表示部２２に表示された購入済リストおよび未購入リストを確認した上で、未購入リストから指定した任意の広告の購入を、操作部２１を介して広告表示装置２０に指示することができる。広告表示装置２０の制御部２６は、広告の購入が操作部２１を介して指示されると、この広告の購入の要求を給付者用装置５０に送信する（Ｓ１３５）。このとき、広告表示装置２０の制御部２６は、広告実施者の実施者ＩＤと、未購入リストに含まれているこの広告の広告ＩＤとを、この要求に含めている。
【００８５】
給付者用装置５０の制御部５５の実施者別広告ＩＤ管理手段５５ａは、広告の購入の要求が広告表示装置２０から送信されてくると、この要求に含まれている広告ＩＤおよび実施者ＩＤの組み合わせの識別情報である実施者別広告ＩＤを生成する（Ｓ１３６）。
【００８６】
次いで、給付者用装置５０の制御部５５は、Ｓ１３５における要求に含まれている広告ＩＤと、Ｓ１３６において生成した実施者別広告ＩＤとをそれぞれ広告ＩＤ５４ｉおよび実施者別広告ＩＤ５４ｊとした広告別情報５４ｈを、Ｓ１３５における要求に含まれている実施者ＩＤを実施者ＩＤ５４ｆとして含んでいる実施者関連情報５４ｅ内に生成する（Ｓ１３７）。
【００８７】
次いで、給付者用装置５０の制御部５５は、広告の購入の完了の通知を広告表示装置２０に送信する（Ｓ１３８）。
【００８８】
次に、給付者用装置５０から広告表示装置２０に広告がダウンロードされる場合の広告システム１０の動作について説明する。
【００８９】
図１０は、給付者用装置５０から広告表示装置２０に広告がダウンロードされる場合の広告システム１０の動作のシーケンス図である。
【００９０】
広告実施者は、購入済リストの表示部２２への表示を、操作部２１を介して広告表示装置２０に指示することができる。広告表示装置２０の制御部２６は、購入済リストの表示部２２への表示が操作部２１を介して指示されると、図１０に示すように、購入済リストの要求を給付者用装置５０に送信する（Ｓ１６１）。このとき、広告表示装置２０の制御部２６は、広告実施者の実施者ＩＤを、この要求に含めている。
【００９１】
給付者用装置５０の制御部５５は、購入済リストの要求が広告表示装置２０から送信されてくると、この要求に含まれている実施者ＩＤを実施者ＩＤ５４ｆとして含んでいる実施者関連情報５４ｅに含まれている全ての広告ＩＤ５４ｉに対応する広告のリストを購入済リストとして生成する（Ｓ１６２）。広告実施者による広告の内容の確認を容易化するために、購入済リストには、広告ＩＤ５４ｉだけではなく、この広告ＩＤ５４ｉを広告ＩＤ５４ｂとして含んでいる広告関連情報５４ａに含まれている広告表示用情報５４ｃおよびＵＲＬ５４ｄが含まれていることが好ましい。なお、購入済リストに含ませる広告表示用情報は、広告表示用情報５４ｃそのものではなく、サムネイル用の情報であっても良い。
【００９２】
次いで、給付者用装置５０の制御部５５は、Ｓ１６２において生成した購入済リストを広告表示装置２０に送信する（Ｓ１６３）。
【００９３】
広告表示装置２０の制御部２６は、購入済リストが給付者用装置５０から送信されてくると、給付者用装置５０から送信されてきた購入済リストを表示部２２に表示させる（Ｓ１６４）。
【００９４】
したがって、広告実施者は、表示部２２に表示された購入済リストから指定した任意の広告のダウンロードを、操作部２１を介して広告表示装置２０に指示することができる。広告表示装置２０の制御部２６の広告受信手段２６ａは、広告のダウンロードが操作部２１を介して指示されると、この広告のダウンロードの要求を給付者用装置５０に送信する（Ｓ１６５）。このとき、広告表示装置２０の制御部２６の広告受信手段２６ａは、広告実施者の実施者ＩＤと、購入済リストに含まれているこの広告の広告ＩＤとを、この要求に含めている。
【００９５】
給付者用装置５０の制御部５５は、広告のダウンロードの要求が広告表示装置２０から送信されてくると、この要求に含まれている広告ＩＤを広告ＩＤ５４ｂとして含んでいる広告関連情報５４ａに含まれている広告表示用情報５４ｃおよびＵＲＬ５４ｄと、この要求に含まれている実施者ＩＤを実施者ＩＤ５４ｆとして含んでいる実施者関連情報５４ｅにおいて、この広告ＩＤを広告ＩＤ５４ｉとして含んでいる広告別情報５４ｈに含まれている実施者別広告ＩＤ５４ｊとを広告表示装置２０に送信する（Ｓ１６６）。
【００９６】
広告表示装置２０の制御部２６の広告受信手段２６ａは、広告表示用情報５４ｃ、実施者別広告ＩＤ５４ｊおよびＵＲＬ５４ｄが給付者用装置５０から送信されてくると、給付者用装置５０から送信されてきた広告表示用情報５４ｃ、実施者別広告ＩＤ５４ｊおよびＵＲＬ５４ｄをそれぞれ広告表示用情報２５ａ、実施者別広告ＩＤ２５ｂおよびＵＲＬ２５ｃとして記憶部２５に記憶させる（Ｓ１６７）。
【００９７】
次いで、広告表示装置２０の制御部２６の広告表示手段２６ｂは、Ｓ１６７において記憶部２５に記憶させた広告表示用情報２５ａに基づいた広告を表示部２２に表示させる（Ｓ１６８）。
【００９８】
次に、広告表示装置２０によって表示されている広告に関するウェブサイトのＵＲＬを広告表示装置２０から観者用装置３０が取得可能である場合に観者用装置３０がこのウェブサイトにアクセスして広告実施者に報酬が給付されるときの広告システム１０の動作について説明する。
【００９９】
図１１は、広告表示装置２０によって表示されている広告に関するウェブサイトのＵＲＬを広告表示装置２０から観者用装置３０が取得可能である場合に観者用装置３０がこのウェブサイトにアクセスして広告実施者に報酬が給付されるときの広告システム１０の動作のシーケンス図である。
【０１００】
広告観者は、広告表示装置２０によって表示されている広告を視認した上で、この広告に関するウェブサイトへのアクセスを、操作部３１を介して観者用装置３０に指示することができる。観者用装置３０の制御部３８は、広告に関するウェブサイトへのアクセスが操作部３１を介して指示されると、図１１に示すように、広告観者によって指定されている広告を表示している広告表示装置２０を特定する（Ｓ２０１）。すなわち、制御部３８の注視点認識手段３８ｈが広告観者の注視点を認識した後、制御部３８の対象特定手段３８ｉは、注視点認識手段３８ｈによって認識された注視点上に存在する広告表示装置２０を対象の広告表示装置２０として特定する。
【０１０１】
次いで、観者用装置３０の制御部３８の実施者別広告ＩＤ取得手段３８ａは、Ｓ２０１において特定された広告表示装置２０に実施者別広告ＩＤの要求を近距離無線通信によって送信する（Ｓ２０２）。
【０１０２】
広告表示装置２０の制御部２６は、実施者別広告ＩＤの要求が観者用装置３０から送信されてくると、記憶部２５上の実施者別広告ＩＤ２５ｂを観者用装置３０に近距離無線通信によって送信する（Ｓ２０３）。したがって、観者用装置３０の制御部３８の実施者別広告ＩＤ取得手段３８ａは、広告表示装置２０から送信されてきた実施者別広告ＩＤを取得することができる。
【０１０３】
次いで、観者用装置３０の制御部３８のＵＲＬ取得手段３８ｂは、Ｓ２０１において特定された広告表示装置２０にＵＲＬの要求を近距離無線通信によって送信する（Ｓ２０４）。
【０１０４】
広告表示装置２０の制御部２６は、ＵＲＬの要求が観者用装置３０から送信されてくると、記憶部２５上のＵＲＬ２５ｃを観者用装置３０に近距離無線通信によって送信する（Ｓ２０５）。したがって、観者用装置３０の制御部３８のＵＲＬ取得手段３８ｂは、広告表示装置２０から送信されてきたＵＲＬを取得することができる。
【０１０５】
なお、Ｓ２０２の工程およびＳ２０４の工程は、同時に実行されても良い。
【０１０６】
次いで、観者用装置３０の制御部３８のサイトアクセス手段３８ｅは、Ｓ２０５において取得されたＵＲＬに基づいてウェブサイトにアクセスする（Ｓ２０６）。このとき、観者用装置３０の制御部３８の実施者別広告ＩＤ送信手段３８ｇは、Ｓ２０３において取得された実施者別広告ＩＤを、このウェブサイトを提供するサイト提供装置４０に送信する。したがって、サイト提供装置４０の制御部４５のサイト側ＩＤ受信手段４５ａは、観者用装置３０から送信されてきた実施者別広告ＩＤを受信する。
【０１０７】
次いで、サイト提供装置４０の制御部４５は、Ｓ２０６においてアクセスされたウェブサイトを表示するための情報を観者用装置３０に送信する（Ｓ２０７）。
【０１０８】
次いで、観者用装置３０の制御部３８のサイト表示手段３８ｆは、Ｓ２０７において送信されてきた情報に基づいて表示部３２にウェブサイトを表示する（Ｓ２０８）。したがって、広告観者は、例えばウェブサイトに商品が販売されている場合、この商品の購入を、操作部３１を介して観者用装置３０に指示することができる。観者用装置３０の制御部３８のサイトアクセス手段３８ｅは、商品の購入が操作部３１を介して指示されると、商品の購入の決定をサイト提供装置４０に送信する（Ｓ２０９）。
【０１０９】
次いで、サイト提供装置４０のサイト側ＩＤ送信手段４５ｂは、Ｓ２０９においてウェブサイトに対して商品の購入の決定の動作が実行された場合に、広告料の情報である広告料情報と、Ｓ２０６において受信された実施者別広告ＩＤとを給付者用装置５０に送信する（Ｓ２１０）。したがって、給付者用装置５０の制御部５５の実施者別広告ＩＤ受信手段５５ｂは、サイト提供装置４０から送信されてきた実施者別広告ＩＤを受信する。すなわち、実施者別広告ＩＤ受信手段５５ｂは、観者用装置３０によって広告表示装置２０から取得され（Ｓ２０３）、観者用装置３０からサイト提供装置４０に送信され（Ｓ２０６）、サイト提供装置４０から給付者用装置５０に送信された（Ｓ２１０）実施者別広告ＩＤを受信する。
【０１１０】
なお、サイト提供装置４０の利用者である商品の販売者は、Ｓ２１０においてサイト提供装置４０から給付者用装置５０に送信された広告料情報に従って、後日、報酬給付者に広告料を支払うことになる。
【０１１１】
給付者用装置５０の制御部５５は、Ｓ２１０の工程の後、Ｓ２１０において受信した実施者別広告ＩＤを実施者別広告ＩＤ５４ｊとして含んでいる実施者関連情報５４ｅに含まれている口座情報５４ｇに基づいて、広告の報酬を広告実施者の口座に振り込む（Ｓ２１１）。
【０１１２】
次に、広告表示装置２０によって表示されている広告に関するウェブサイトのＵＲＬを広告表示装置２０から観者用装置３０が取得可能ではない場合に観者用装置３０がこのウェブサイトにアクセスして広告実施者に報酬が給付されるときの広告システム１０の動作について説明する。
【０１１３】
図１２は、広告表示装置２０によって表示されている広告に関するウェブサイトのＵＲＬを広告表示装置２０から観者用装置３０が取得可能ではない場合に観者用装置３０がこのウェブサイトにアクセスして広告実施者に報酬が給付されるときの広告システム１０の動作のシーケンス図である。
【０１１４】
図１２に示す動作は、以下に述べる動作を除いて、図１１に示す動作と同様である。
【０１１５】
図１２に示すように、観者用装置３０の制御部３８の画像取得手段３８ｃは、Ｓ２０３の工程の後、Ｓ２０１において特定された広告表示装置２０によって表示されている広告を撮影して広告撮影画像を取得する（Ｓ２３１）。
【０１１６】
次いで、観者用装置３０の制御部３８のサイト検索手段３８ｄは、Ｓ２３１において取得された広告撮影画像に対応する広告に関するウェブサイトを、この広告撮影画像に基づいてウェブ上で検索する（Ｓ２３２）。
【０１１７】
次いで、観者用装置３０の制御部３８のサイトアクセス手段３８ｅは、Ｓ２３２において検索されたウェブサイトにアクセスする（Ｓ２３３）。このとき、観者用装置３０の制御部３８の実施者別広告ＩＤ送信手段３８ｇは、Ｓ２０３において取得された実施者別広告ＩＤを、このウェブサイトを提供するサイト提供装置４０に送信する。したがって、サイト提供装置４０の制御部４５のサイト側ＩＤ受信手段４５ａは、観者用装置３０から送信されてきた実施者別広告ＩＤを受信する。
【０１１８】
以上に説明したように、広告システム１０は、観者用装置３０の近くに存在する広告表示装置２０を、給付者用装置５０によって受信した実施者別広告ＩＤに基づいて識別することができるので、報酬給付者から、この広告表示装置２０によって広告を実施する広告実施者に、給付者用装置５０によって受信した実施者別広告ＩＤに基づいて報酬が給付されることができる。したがって、広告システム１０は、広告表示装置２０によって広告を実施する広告実施者に適切に報酬が給付されることができる。
【０１１９】
また、広告システム１０は、観者用装置３０の近くの広告表示装置２０のうち広告観者の注視点上に存在する広告表示装置２０を観者用装置３０が対象の広告表示装置２０として特定する（Ｓ２０１）ので、広告観者が実際に見た広告を実施した広告実施者に適切に報酬が給付されることができる。
【０１２０】
また、広告システム１０は、広告表示装置２０の記憶部２５上のＵＲＬ２５ｃに基づいて、広告表示装置２０によって表示されている広告に関するウェブサイトを観者用装置３０に表示させる（Ｓ２０４〜Ｓ２０８）ので、広告表示装置２０による宣伝効果を向上することができる。
【０１２１】
また、広告システム１０は、広告表示装置２０によって表示されている広告に関するウェブサイトを広告撮影画像に基づいて観者用装置３０に表示させる（Ｓ２３１〜Ｓ２３３、Ｓ２０７およびＳ２０８）ので、広告表示装置２０による宣伝効果を向上することができる。
【０１２２】
なお、広告システム１０は、広告表示装置２０によって表示される広告を変更することができる（Ｓ１６５〜Ｓ１６８）ので、広告表示装置２０によって表示される広告として、例えば多くの報酬を得ることができる広告を、この広告に関するウェブサイトも参考にさせながら広告実施者に選ばせることができる。
【０１２３】
広告システム１０は、観者用装置３０が広告表示装置２０の近くに存在するということのみではなく、この広告表示装置２０によって表示されている広告に関するウェブサイトに対して観者用装置３０によって特定の動作が実行された場合に（Ｓ２０９）、この広告を実施する広告実施者に報酬給付者から報酬が給付されることができる。したがって、広告システム１０は、広告表示装置２０によって広告を実施する広告実施者に更に適切に報酬が給付されることができる。
【０１２４】
なお、報酬給付者から広告実施者に報酬が給付されるためのウェブサイトに対する特定の動作は、本実施の形態において、商品の購入の決定である。しかしながら、報酬給付者から広告実施者に報酬が給付されるためのウェブサイトに対する特定の動作は、商品の購入の決定以外の動作であっても良い。例えば、広告表示装置２０によって表示されている広告に関するウェブサイトに対するアクセスという動作が発生した場合に、報酬給付者から広告実施者に報酬が給付されるようになっていても良い。
【０１２５】
また、報酬給付者から広告実施者に報酬が給付されるタイミングは、本実施の形態においてサイト提供装置４０から給付者用装置５０に広告料情報が送信された後である。しかしながら、広告料情報の送信の有無またはタイミングに関わらず、報酬給付者から広告実施者に報酬が給付されても良い。
【０１２６】
なお、広告システム１０は、本実施の形態において、図１１に示すように広告表示装置２０の記憶部２５上のＵＲＬ２５ｃに基づいてウェブサイトを観者用装置３０に表示させる機能と、図１２に示すように広告撮影画像に基づいてウェブサイトを観者用装置３０に表示させる機能との両方を実行することができる。しかしながら、広告システム１０は、これらの機能の一方のみを実行することができるようになっていても良い。
【０１２７】
また、広告システム１０は、本実施の形態において、観者用装置３０からサイト提供装置４０を経由して給付者用装置５０に実施者別広告ＩＤを送信するようになっている（Ｓ２０６またはＳ２３３、および、Ｓ２１０）。しかしながら、広告システム１０は、図１３に示すように、観者用装置３０から給付者用装置５０に直接に実施者別広告ＩＤを送信するようになっていても良い。
【０１２８】
図１３は、観者用装置３０から給付者用装置５０に直接に実施者別広告ＩＤを送信する場合に観者用装置３０がこのウェブサイトにアクセスして広告実施者に報酬が給付されるときの広告システム１０の動作のシーケンス図である。
【０１２９】
図１３に示す動作は、以下に述べる動作を除いて、図１１に示す動作と同様である。
【０１３０】
図１３に示すように、観者用装置３０の制御部３８のサイトアクセス手段３８ｅは、Ｓ２０５の工程の後、Ｓ２０５において取得されたＵＲＬに基づいてウェブサイトにアクセスする（Ｓ２６１）。このとき、観者用装置３０の制御部３８の実施者別広告ＩＤ送信手段３８ｇは、Ｓ２０３において取得された実施者別広告ＩＤを、このウェブサイトを提供するサイト提供装置４０に送信しない。
【０１３１】
また、観者用装置３０の制御部３８の実施者別広告ＩＤ送信手段３８ｇは、Ｓ２０８の工程の後、Ｓ２０３において取得された実施者別広告ＩＤを給付者用装置５０に送信する（Ｓ２６２）。したがって、給付者用装置５０の制御部５５は、Ｓ２６２において受信した実施者別広告ＩＤを実施者別広告ＩＤ５４ｊとして含んでいる実施者関連情報５４ｅに含まれている口座情報５４ｇに基づいて、広告の報酬を広告実施者の口座に振り込む（Ｓ２６３）。
【０１３２】
広告システム１０は、図１３に示すように動作する場合、観者用装置３０が広告表示装置２０の近くに存在するということのみではなく、この広告表示装置２０によって表示されている広告に関するウェブサイトが観者用装置３０によってアクセスされたときに、この広告を実施する広告実施者に報酬給付者から報酬が給付されることができる。したがって、広告システム１０は、図１３に示すように動作する場合、広告表示装置２０によって表示されている広告に関するウェブサイトに関係なく報酬給付者から広告実施者に報酬が給付される構成と比較して、広告表示装置２０によって広告を実施する広告実施者に更に適切に報酬が給付されることができる。
【０１３３】
なお、広告システム１０は、図１４に示すように、広告表示装置２０によって表示されている広告に関するウェブサイトに関係なく、報酬給付者から広告実施者に報酬が給付されるようになっていても良い。
【０１３４】
図１４は、広告表示装置２０によって表示されている広告に関するウェブサイトに関係なく、広告実施者に報酬が給付されるときの広告システム１０の動作のシーケンス図である。
【０１３５】
図１４に示す動作は、以下に述べる動作を除いて、図１１に示す動作と同様である。
【０１３６】
図１４に示すように、観者用装置３０の制御部３８の実施者別広告ＩＤ送信手段３８ｇは、Ｓ２０３の工程の後、Ｓ２０３において取得された実施者別広告ＩＤを給付者用装置５０に送信する（Ｓ２９１）。したがって、給付者用装置５０の制御部５５は、Ｓ２９１において受信した実施者別広告ＩＤを実施者別広告ＩＤ５４ｊとして含んでいる実施者関連情報５４ｅに含まれている口座情報５４ｇに基づいて、広告の報酬を広告実施者の口座に振り込む（Ｓ２９２）。
【０１３７】
なお、広告表示装置２０によって表示されている広告による宣伝の対象は、本実施の形態において、商品である。しかしながら、広告表示装置２０によって表示されている広告による宣伝の対象は、商品以外のものであっても良い。例えば、宣伝の対象は、役務であっても良い。
【０１３８】
また、報酬給付者から広告実施者に報酬が給付される方法は、本実施の形態において給付者用装置５０による自動の振り込みである。しかしながら、報酬給付者から広告実施者に報酬が給付される方法は、人間の手動による振り込みであっても良い。
【０１３９】
また、報酬給付者から広告実施者に給付される報酬は、本実施の形態において金銭である。しかしながら、報酬は、金銭以外のものであっても良い。例えば、広告を購入することができる専用のポイントが報酬であっても良い。
【０１４０】
なお、広告表示装置２０が図３に示すように電子服２８を備えている場合、広告実施者は、電子服２８の表示部２２Ａおよび表示部２２Ｂに表示される広告を変更することによって、電子服２８の模様および色彩を変更することができる。したがって、広告実施者は、新しい模様および色彩を有した電子服２８を着用することを楽しむことができる。
【０１４１】
広告表示装置２０は、図３に示すような電子服２８以外のウェアラブルデバイスであっても良いし、家、車、屋外広告物など、ウェアラブルデバイス以外の物であっても良い。
【０１４２】
なお、広告表示装置２０は、本実施の形態において広告および実施者別広告ＩＤをダウンロードすることが可能である。しかしながら、広告表示装置２０は、広告および実施者別広告ＩＤをダウンロードすることが可能でなくても良い。例えば、広告表示装置２０は、給付者用装置５０の実施者別広告ＩＤ管理手段５５ａによって管理されている実施者別広告ＩＤ５４ｊの１つと同じ実施者別広告ＩＤを記憶していて、この実施者別広告ＩＤを近距離無線通信によって観者用装置３０に送信可能であれば、印刷された広告を表示する物であっても良い。
【符号の説明】
【０１４３】
１０  広告システム
２０  広告表示装置（広告表示物）
２５ｂ  実施者別広告ＩＤ
２５ｃ  ＵＲＬ
２６ａ  広告受信手段
２６ｂ  広告表示手段
３０  観者用装置
３８ａ  実施者別広告ＩＤ取得手段
３８ｂ  ＵＲＬ取得手段
３８ｃ  画像取得手段
３８ｄ  サイト検索手段
３８ｅ  サイトアクセス手段
３８ｆ  サイト表示手段
３８ｇ  実施者別広告ＩＤ送信手段
３８ｈ  注視点認識手段
３８ｉ  対象特定手段
４０  サイト提供装置
４５ａ  サイト側ＩＤ受信手段
４５ｂ  サイト側ＩＤ送信手段
５０  給付者用装置
５４ｊ  実施者別広告ＩＤ
５５ａ  実施者別広告ＩＤ管理手段
５５ｂ  実施者別広告ＩＤ受信手段
【図１】
2014130500.tif 000003
【図２】
2014130500.tif 000004
【図３】
2014130500.tif 000005
【図４】
2014130500.tif 000006
【図５】
2014130500.tif 000007
【図６】
2014130500.tif 000008
【図７】
2014130500.tif 000009
【図８】
2014130500.tif 000010
【図９】
2014130500.tif 000011
【図１０】
2014130500.tif 000012
【図１１】
2014130500.tif 000013
【図１２】
2014130500.tif 000014
【図１３】
2014130500.tif 000015
【図１４】
2014130500.tif 000016